(57)【要約】【課題】従来、汗取りパットはブラジャーのストラップに固定するもので、ストラップレスには使用できずまた、簡単には取り外せず、脇用しかなかった。【解決手段】ボタンや差込式など本体の留め具の種類に関わらず、固定紐を改良して一瞬にして着脱できるようにしたものである。例えば、樹脂などで出来た弾力性のあるつまみを固定紐の先端に取り付けて、ブラジャーのストラップの丸カンに差し込んで固定する等。先端を差し込んで固定するだけなので、着脱が簡単で少しの力で引っ張るだけで簡単に外す事が可能である。また、ストラップレス用は汗取りパットをブラジャーの脇に固定して、ストラップが無くても使用できるようにしたものである。また、肌に直に貼る使い捨ての汗パット。【選択図】図１
2008013894.tif 000002
【特許請求の範囲】
【請求項１】
ブラジャーのストラップに固定する汗取りパットを引くだけで簡単に、一瞬にして取り外せるようにしたもの。
【請求項２】
元来、ブラジャーのストラップに固定する汗取りパットを脇に固定する事で、ストラップレスブラにも使用できるようにしたもの。
【請求項３】
衣類に貼るのではなく、肌に直接貼って使用できるようにしたシール型汗取りパット。
【発明の詳細な説明】
【技術分野】
【０００１】  本発明は、汗取りパットに関する。
【背景技術】
【０００２】  従来、汗取りパットは固定すると簡単には取り外せなかった。また、ブラジャーのストラップに固定する汗取りパットはあったが、ストラップレスに使用できる汗取りパットは無かった。また、脇用しかなかった。
【特許文献１】
【非特許文献１】
【発明の開示】
【発明が解決しようとする課題】
【０００３】  以上に述べたように従来、汗取りパットはブラジャーのストラップに固定するものであり、ストラップが無ければ使用できなかった。また、一度装着した汗脇パットを一瞬にして外すことは不可能であった。更に、使い捨てタイプに肌に直に貼る物が無かった。【０００４】  本発明は、この様な従来の問題を解決しようとするものであり、実用性や機能性、装飾性を兼ねた汗脇パットを提供するものである。
【課題を解決するための手段】
【０００５】  本発明の上記課題を達成するための第１の実施形態の汗取りパットは、ボタンや差込式など本体の留め具の種類に関わらず、固定紐を改良して一瞬にして着脱できるようにしたものである。例えば、樹脂などで出来た弾力性のあるつまみを固定紐の先端に取り付けて、ブラジャーのストラップの丸カンに差し込んで固定する。先端を差し込んで固定するだけなので、着脱が簡単で少しの力で引っ張るだけで簡単に外す事が可能である。また、留め具部分をマジックテープ等で固定すると、紐の調節具は特に必要ない。【０００６】  その他には、パット本体裏部分に留め具を施して、衣類の脇部分に留められるようにする。例えば、脇に合わせて僅かにカーブしたピンをパチン留め風に、片側に折り曲げると締まり反対に折り曲げると開くようにする。この様に留め具を使うことで、テープとは異なり繰り返し使用できる。【０００７】  また、第２の実施形態は、汗取りパットをブラジャーの脇に固定して、ストラップが無くても使用できる様にしたものである。この時の留め具は、挟んだときにしっかり固定する為にマジックテープやピン、バネのようにしっかり挟むものが適している。【０００８】  また、第３の実施形態は、背中用汗取りパットで第１の実施形態の汗取りパットと同様にストラップに固定し、簡単に着脱できる。【０００９】  また、第３の実施形態のその他の背中用汗取りパットは、ショルダー部分が紐などで出来ていて、専用汗脇パットも着脱できて本体が簡単に着脱可能である。また、胸用汗取りパットを同時に使用することもできる。【００１０】  また、第４の実施形態の汗取りパットは、肌色の目立たない医療用テープ等に汗パットを施した使い捨てタイプである。この場合、完全使い捨てタイプと汗パットのみを張替えるタイプとに分けられる。【００１１】  上記の第１の課題解決手段による作用は次の通りである。すなわち、本発明の汗脇パットはブラジャーの丸カンに固定するため、本体を簡単に取り外せる。特に、本体固定部が差し込み式の場合は、軽く引くだけで瞬時に簡単に取り外し可能である。【００１２】  また、第２の課題解決手段による作用は、本体をブラジャーの脇に固定するので固定紐が不要である。また、汗取りパット固定部分にてパットの長さを調節できるので、ブラジャーの脇の位置や袖の長さなどに応じて汗脇パットの長さを装着部位にて調節できる。【００１３】  また、第３の課題解決手段及び、その他の背中用汗取りパットによる作用は、第１の課題解決手段による作用と同じであるのでここでは省略する。
【発明の効果】
【００１４】  以上に詳述したように、第１、３の実施形態の汗取りパットは、時間を掛けずまた、ブラジャーを外すことなく瞬時にパットだけを取り外すことができる。【００１５】  また、第２の実施形態の汗取りパットは、本体をブラジャーの脇に固定するのでストラップレスのブラジャーでも使用できる。更に、ブラジャーの着用位置や袖の長さなどに応じて汗取りパットの装着部位を調節できる。【００１６】  また、第４の実施形態の汗取りパットは、肌に貼るタイプなので衣類を着用しなくても本発明品だけを単独で使用することが出来る。また、使用時にパット中央部が外側に折れ曲がらず内側に折れ曲がるように、パット本体を山形にしたり一方に折れ曲がるように溝を施したりすると良い。更に、汗パットはパットだけを取り替えて使用しても、完全使い捨てでもどちらでも良い。
【発明の実施をするための最良の形態】
【００１７】  以下、本発明の実施の形態を図１〜図９に基づいて説明する。
【００１８】  図において、１Ａは本発明の第１の実施形態であるストラップ取り付け汗パット本体で吸い取りパット２ａと固定紐３ａと留め具４ａとからなる。また、本発明の第２の実施形態である脇に固定する汗パット１Ｂは、吸い取りパット２ｂと固定部５、留め具４ｂとからなる。
【００１９】  以下、上記構成を説明する。本発明の汗取りパット１Ａは、吸い取りパット２ａ、固定紐３ａと留め具４ａとからなり、留め具４ａを改良したことで固定紐３が瞬時に着脱可能になる。また、汗取りパット１Ｂは、吸い取りパット２ｂと脇固定部５と留め具４ｂとからなり、脇固定部５にてブラジャー脇に留めて使用するため、ストラッブが無くても使用できる。また、例えば固定部５にマジックテープを使用した場合、左右上下と細かい調節が可能である。また、パット内部に脇下によりフィットさせる為のへたれ防止用プレート６をプレート収納部７に固定すると良い。また、１Ｃの背中用汗取りパットは大きめの背中用パット２ｃがという以外は基本的に本発明の汗取りパット１Ａの構成と同じであるが、１Ｄは１Ｃに汗脇パット固定紐８を施したものである。１Ｅの汗取りパットは、１Ｄのその他の実施形態で背中用汗パット２ｅに胸用汗パット２ｆと固定紐３ｄと留め具４ｅとからなる。１Ｆは、本発明の一例である留め具４ａと固定紐３ｅである。１Ｇは本発明品の専用丸カン９である。１Ｈは本発明の服に固定するための汗取りパットの留め具である。１Ｉは、使い捨て汗取りパットで粘着テープ１０と汗パッと１１とからなる。
【図面の簡単な説明】
【００２０】
【図１】本発明の第１の実施形態を示す脇用汗取りパットの正面図
【図２】本発明の第２の実施形態を示す脇用汗取りパットの正面図
【図３】本発明の第３の実施形態を示す背中用汗取りパットの正面図
【図４】本発明の第３のその他の実施形態を示す背中用汗取りパットの正面図
【図５】本発明の第３のその他の実施形態を示す胸と背中用汗取りパットの正面図
【図６】本発明の第１の実施形態を示す汗取りパット用ストラップの調節可能な留め具
【図７】本発明の汗取りパット用ストラップの丸カン透視図
【図８】本発明の汗取りパット用留め具
【図９】本発明の第４の実施形態を示す使い捨て汗取りパットの側面図
【符号の説明】
【００２１】１Ａ、１Ｂ    汗脇パット本体                    ６      へたれ防止用プレート
１Ｃ、１Ｄ    背中用汗取りパット本体留め具      ７      プレート収納部
１Ｅ          胸、背中用汗取りパット本体        ８      汗脇パット固定紐
１Ｆ          留め具と固定紐                    ９      丸カン
２ａ、ｂ、ｃ、ｄ、ｅ、ｆ    吸い取りパット    １０      汗取りパット用留め具
３ａ、ｂ、ｃ、ｄ、ｅ        固定紐            １１      粘着テープ
４ａ、ｂ、ｃ、ｄ、ｅ        留め具            １２      汗パット
５            脇固定部
【図１】
2008013894.tif 000003
【図２】
2008013894.tif 000004
【図３】
2008013894.tif 000005
【図４】
2008013894.tif 000006
【図５】
2008013894.tif 000007
【図６】
2008013894.tif 000008
【図７】
2008013894.tif 000009
【図８】
2008013894.tif 000010
【図９】
2008013894.tif 000011